【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
判定を実行することが可能な判定手段と、
その判定手段の判定結果を示すための識別情報を表示可能な第１表示手段と、
その第１表示手段に表示される識別情報の動的表示態様を決定する動的表示態様決定手段と、
前記第１表示手段とは異なる第２表示手段と、
その第２表示手段の表示面を視認可能に覆い、遊技者により押下操作をすることが可能なカバー体と、
前記識別情報の動的表示が実行されることに基づいて、前記カバー体を押下操作することで表示態様が可変する押下表示態様の選択をする押下表示態様選択手段と、
その押下表示態様選択手段により押下表示態様が選択されたことに基づいて、前記第１表示手段に表示される識別情報の動的表示態様に関する表示態様を前記第２表示手段にも表示させる第２表示制御手段と、
前記カバー体が押下操作されて押下位置へと移動した場合に、遊技者のタッチによる操作を検出することが可能な操作検出手段と、
その操作検出手段により前記操作が検出されたことに基づいて、前記第２表示手段に表示される表示態様を可変させる操作可変手段と、を有するものであることを特徴とする遊技機。
【手続補正２】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や当たり演出を、液晶画面上に表示するパチンコ機が知られている。かかる演出では、遊技者に期待感を持たせるための演出や、遊技者の遊技への参加意欲を高めるための演出など、様々なパターンの演出が実行され、遊技の興趣向上が図られている。この種のパチンコ機の中には、遊技機に遊技者が操作可能な操作手段（スイッチ等）を設けて遊技者がその操作手段を操作することにより遊技の演出等を変化させる遊技機が提案されている。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
この種のパチンコ機において、遊技者が操作手段を操作することに夢中になり、表示される演出を見逃してしまい、遊技が困難になるという問題点があった。
【手続補正５】
【補正対象書類名】明細書
【補正対象項目名】０００６
【補正方法】変更
【補正の内容】
【０００６】
本発明は、上記例示した問題点等を解決するためになされたものであり、遊技者が遊技し易い遊技機を提供することを目的としている。
【手続補正６】
【補正対象書類名】明細書
【補正対象項目名】０００７
【補正方法】変更
【補正の内容】
【０００７】
この目的を達成するために請求項１記載の遊技機は、判定を実行することが可能な判定手段と、その判定手段の判定結果を示すための識別情報を表示可能な第１表示手段と、その第１表示手段に表示される識別情報の動的表示態様を決定する動的表示態様決定手段と、前記第１表示手段とは異なる第２表示手段と、その第２表示手段の表示面を視認可能に覆い、遊技者により押下操作をすることが可能なカバー体と、前記識別情報の動的表示が実行されることに基づいて、前記カバー体を押下操作することで表示態様が可変する押下表示態様の選択をする押下表示態様選択手段と、その押下表示態様選択手段により押下表示態様が選択されたことに基づいて、前記第１表示手段に表示される識別情報の動的表示態様に関する表示態様を前記第２表示手段にも表示させる第２表示制御手段と、前記カバー体が押下操作されて押下位置へと移動した場合に、遊技者のタッチによる操作を検出することが可能な操作検出手段と、その操作検出手段により前記操作が検出されたことに基づいて、前記第２表示手段に表示される表示態様を可変させる操作可変手段と、を有するものである。
【手続補正７】
【補正対象書類名】明細書
【補正対象項目名】０００８
【補正方法】変更
【補正の内容】
【０００８】
請求項１記載の遊技機によれば、判定を実行することが可能な判定手段と、その判定手段の判定結果を示すための識別情報を表示可能な第１表示手段と、その第１表示手段に表示される識別情報の動的表示態様を決定する動的表示態様決定手段と、前記第１表示手段とは異なる第２表示手段と、その第２表示手段の表示面を視認可能に覆い、遊技者により押下操作をすることが可能なカバー体と、前記識別情報の動的表示が実行されることに基づいて、前記カバー体を押下操作することで表示態様が可変する押下表示態様の選択をする押下表示態様選択手段と、その押下表示態様選択手段により押下表示態様が選択されたことに基づいて、前記第１表示手段に表示される識別情報の動的表示態様に関する表示態様を前記第２表示手段にも表示させる第２表示制御手段と、前記カバー体が押下操作されて押下位置へと移動した場合に、遊技者のタッチによる操作を検出することが可能な操作検出手段と、その操作検出手段により前記操作が検出されたことに基づいて、前記第２表示手段に表示される表示態様を可変させる操作可変手段と、を有するものである。
【手続補正８】
【補正対象書類名】明細書
【補正対象項目名】０００９
【補正方法】変更
【補正の内容】
【０００９】
よって、遊技者がより遊技を容易に行うことができるという効果がある。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】０５１９
【補正方法】変更
【補正の内容】
【０５１９】
前記各遊技機は、パチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
従来より、始動口への遊技球の入賞に伴って抽選を行い、その抽選結果に応じた変動演出や大当たり演出を、液晶画面上に表示するパチンコ機が知られている。かかる演出では、遊技者に期待感を持たせるための演出や、遊技者の遊技への参加意欲を高めるための演出など、様々なパターンの演出が実行され、遊技の興趣向上が図られている。この種のパチンコ機の中には、遊技機に遊技者が操作可能な操作手段（スイッチ等）を設けて遊技者がその操作手段を操作することにより遊技の演出等を変化させる遊技機が提案されている。
このようなパチンコ機において、例えば、遊技者が操作手段を操作した場合に多様な演出を実行しようと、操作手段が操作された場合に遊技の演出を変化させるかの抽選を実行するものがある（例えば、特許文献１：特開２０１０−０７５７４１号公報）。
この種のパチンコ機において、遊技者の操作により一定のタイミング等で遊技の演出が変化してしまい遊技者が遊技に対して単調な印象を持ってしまい、遊技者が遊技に早期飽きてしまう問題点があった。
本技術的思想は、上記例示した問題点等を解決するためになされたものであり、遊技者が早期に遊技に飽きてしまうことを抑制できる遊技機を提供することを目的としている。
＜手段＞
この目的を達成するために技術的思想１の遊技機は、遊技の制御を実行する主制御手段と、その主制御手段からの制御信号に従って遊技の制御を実行する従制御手段と、を有し、前記主制御手段は、始動条件の成立に基づいて、遊技の当否判定を実行する当否判定手段と、その当否判定結果が所定の結果であることに基づいて、遊技者に有利となる特典遊技を実行する特典遊技実行手段と、を有し、前記従制御手段は、前記主制御手段からの制御信号に従って、前記当否判定手段による判定結果を示す識別情報を表示する表示手段と、その表示手段に表示される識別情報の動的表示態様を複数の動的表示態様の中より１の動的表示態様を決定する動的表示態様決定手段と、遊技者が操作可能な操作手段と、前記動的表示態様決定手段により所定の動的表示態様が決定されたことに基づいて、前記操作手段の操作を有効にする有効期間を設定する期間設定手段と、その期間設定手段により設定された前記有効期間内に前記操作手段が操作されたことに基づいて、前記操作表示態様を前記表示手段に表示させる操作表示手段と、を有し、前記期間設定手段は、前記操作表示態様が表示される第１有効期間と、その第１有効期間の前に設定される第２有効期間とを少なくとも設定するものであり、前記第２有効期間内において、前記第１有効期間の設定を禁止または前記操作表示態様の設定を禁止する禁止手段とを有するものである。
＜効果＞
技術的思想１記載の遊技機によれば、主制御手段では、始動条件の成立に基づいて、遊技の当否判定が当否判定手段により実行される。その当否判定結果が所定の結果であることに基づいて、遊技者に有利となる特典遊技が特典遊技実行手段により実行される。
従制御手段では、主制御手段からの制御信号に従って、当否判定手段による判定結果を示す識別情報が表示手段に表示される。その表示手段に表示される識別情報の動的表示態様を複数の動的表示態様の中より１の動的表示態様が動的表示態様決定手段により決定される。
動的表示態様決定手段により所定の動的表示態様が決定されたことに基づいて、操作手段の操作を有効にする有効期間が期間設定手段により設定される。その期間設定手段により設定された有効期間内に前記操作手段が操作されたことに基づいて、操作表示態様が表示手段に操作表示手段により表示される。
操作表示態様が表示される第１有効期間と、その第１有効期間の前に設定される第２有効期間とが期間設定手段により少なくとも設定される。第２有効期間内において、第１有効期間の設定を禁止または操作表示態様の設定が禁止手段により禁止される。
これにより、第１有効期間の設定または操作表示態様の設定が禁止されるので、多様な遊技を遊技者に提供できる。よって、遊技者が早期に遊技に飽きてしまう不具合を抑制できるという効果がある。
【手続補正１３】
【補正対象書類名】明細書
【補正対象項目名】０５２０
【補正方法】変更
【補正の内容】
【０５２０】
１０                  パチンコ機（遊技機）
８１                  第３図柄表示装置（第１表示手段）
１１３                音声ランプ制御装置（第２表示制御手段）
１１４ 制御表示装置（第１表示制御手段）
７０１ カバー体（カバー体）
７０２ タッチパネル（第２表示手段）
Ｓ３０５              当否判定手段                
Ｓ３０７，Ｓ３０９ 動的表示態様決定手段
Ｓ１８２４ 押下表示態様選択手段